(57)【要約】【課題】  マスカラ等の化粧料を睫毛に塗布するにあたって、適量を均一塗布し且つ睫毛同士がくっつかないよう分散させることができ、そして、繊維入りマスカラの場合には、繊維の付着方向を揃えることができ、ムラ付防止の可能な睫毛用塗布具を提供するものである。【解決手段】  塗布方向（睫毛を撫でる方向）に所定の長さをもち、化粧料中の繊維を塗布方向に整列させて保持可能な溝を、一定のピッチで並列に多数有してなることを特徴とする。【選択図】  図１
2005192996.tif 000002
【特許請求の範囲】
【請求項１】
塗布方向に所定の長さをもち、化粧料中の繊維を塗布方向に整列させて保持可能な溝を、一定のピッチで並列に多数有してなることを特徴とする睫毛用塗布具。
【請求項２】
溝の長さが３〜７ｍｍであることを特徴とする請求項１記載の睫毛用塗布具。
【請求項３】
溝の深さが０.３〜２ｍｍで且つピッチが０.４〜１ｍｍであることを特徴とする請求項１又は請求項２に記載の睫毛用塗布具。
【請求項４】
溝の断面形状がＶ字状であることを特徴とする請求項１〜３のいずれかに記載の睫毛用塗布具。
【請求項５】
溝の深さが０.７ｍｍで且つピッチが０.６ｍｍであることを特徴とする請求項４記載の睫毛用塗布具。
【請求項６】
少なくともロッド先端部分の目に対応した幅を平坦にして平面部を形成し、該平面部に溝を形成してあることを特徴とする請求項１〜５のいずれかに記載の睫毛用塗布具。
【請求項７】
平面部が塗布具の長手方向に沿って湾曲していることを特徴とする請求項６記載の睫毛用塗布具。
【請求項８】
平面部が、ロッドの軸に対し所定の角度傾いていることを特徴とする請求項６記載の睫毛用塗布具。
【請求項９】
平面部の幅が１０〜３０ｍｍであることを特徴とする請求項６〜８のいずれかに記載の睫毛用塗布具。
【請求項１０】
隣接する溝と溝との間に形成される突条部が塗布方向において、少なくとも前記溝が形成されるロッドの塗布方向の長さよりも長く、この塗布方向に所定の長さを有してロッドから外方に延出した突出部を有することを特徴とする請求項１〜９のいずれかに記載の睫毛用塗布具。
【請求項１１】
全体として櫛様の形態をなす、塗布方向に所定の長さを有するロッドから外方向に延出する複数の突出部は、その延出部の長さが、０.３〜２.０ｍｍであることを特徴とする請求項１０記載の睫毛用塗布具。
【請求項１２】
突出部のピッチと溝のピッチが、ともに０.５〜１.０ｍｍであることを特徴とする請求項１０又は請求項１１記載の睫毛用塗布具。
【発明の詳細な説明】
【技術分野】
【０００１】
本発明は、マスカラ等の化粧料を睫毛に塗布するのに最適な睫毛用塗布具に関する。
【背景技術】
【０００２】
マスカラを睫毛に塗布するために使用される塗布具として現在一般的なものに、特許文献１のような円柱の先端に螺旋溝を切った螺旋状の塗布具、特許文献２〜４のようなタワシ状の塗布具、そして特許文献５〜７のような櫛状の塗布具がある。
【０００３】
【特許文献１】特公昭５４−４１９４２号公報
【特許文献２】特開平９−２３８７４０号公報
【特許文献３】特表２００３−５１５４１０号公報
【特許文献４】特表２００３−５２１９８２号公報
【特許文献５】特開２００１−１４５５１５号公報
【特許文献６】特開２００１−２３１６２７号公報
【特許文献７】特開２００３−２５９９１４号公報
【０００４】
最近では、睫毛のボリューム感アップや長さを出すために繊維を入れたマスカラが登場しているが、上記のような形状の塗布具ではいずれも、均一に塗布しにくい、睫毛同士がくっつく、そして特に繊維入りの場合、繊維の付着方向が不均一（ムラ付）となったり、櫛状の塗布具では繊維がつかないなど、不具合が生じている。
【発明の開示】
【発明が解決しようとする課題】
【０００５】
このような従来技術に鑑みて本発明は、マスカラ等の化粧料を睫毛に塗布するにあたって、適量を均一塗布し且つ睫毛同士がくっつかないよう分散させることができ、そして、繊維入りマスカラの場合には、繊維の付着方向を揃えることができ、ムラ付防止の可能な睫毛用塗布具を提供するものである。
【課題を解決するための手段】
【０００６】
本発明による睫毛用塗布具は、上記課題を解決するために、塗布方向（睫毛を撫でる方向）に所定の長さをもち、化粧料中の繊維を塗布方向に整列させて保持可能な溝を、一定のピッチで並列に多数有してなることを特徴とする。
【０００７】
この溝の長さは、睫毛の平均的長さの６ｍｍ前後に対応させて、３〜７ｍｍとすると、睫毛をしっかりキープしてとかし上げられ、きれいに分散させて整えるうえで最適である。このような溝の深さは０.３〜２ｍｍ、ピッチは０.４〜１ｍｍの範囲で形成するのが同じく睫毛を整えるために適し且つ化粧料中の繊維を確実に整列させて保持できるので、好ましい。当該睫毛用塗布具によれば、０.５〜２０Ｄ（デニール）の太さで長さ０.３〜３.０ｍｍの繊維を含むマスカラに使用した場合、均一でなめらかに、そして繊維の付着方向が揃えられてムラ無く塗布することができる。
【０００８】
このような塗布具では、溝を、断面形状がＶ字状となるように形成し、そのピッチを０.６ｍｍ、深さを０.７ｍｍにしたときに、睫毛保持力と化粧料の含み具合を両立させて最適な仕上がりを得ることができる。
【０００９】
また、隣接する溝と溝との間に形成される突条部が塗布方向において、少なくとも前記溝が形成されるロッドの塗布方向の長さよりも長く、この塗布方向に所定の長さを有するロッドから外向きに飛び出した突出部を有して複数形成され、全体として櫛様の形態をなすように構成され、突出部のピッチと溝のピッチがともに０.５〜１.０ｍｍとして、突条部のピッチが狭過ぎて睫毛入らず梳かせないこと、或いは化粧料や化粧料中の繊維の付きが多く束になって捌けないということをなくすように構成される。
【００１０】
塗布方向に所定の長さを有するロッドから該方向に飛び出した部分の櫛様の突出部の長さを０.３〜２.０ｍｍとすることで、化粧料の塗布に際して、化粧料や化粧料中の繊維が互いにまとわりついてダマになったり束になったりしていた睫毛を１本１本に捌き解すことができて好ましい。
【発明の効果】
【００１１】
本発明の睫毛用塗布具によれば、所定の長さの溝を一定のピッチで並列に設けたことで、その溝の長さで睫毛を確実にホールドし、一定のピッチによりきれいに睫毛を分散させて互いにくっつかないように整列させることができる。また、溝の長さや深さを適宜調整することにより、化粧料の保持量を調整することができ、簡単に適量を均一塗布させられる。さらに、所定の長さをもつ溝により、化粧料中の繊維を塗布方向に（つまり睫毛に沿って）整列させて保持することが可能なので、繊維のムラ付きを防止して付着方向を揃え、均一に塗布することができるようになる。
【００１２】
また、万が一化粧料や化粧料中の繊維によって睫毛同士がくっついてダマになったり、束になってしまった場合であっても、ロッドの塗布方向の長さよりも長目に形成されて突出した複数の突条部からなる櫛様に構成されたロッドによって、睫毛を梳かして捌き解すことができるという効果がある。
【発明を実施するための最良の形態】
【００１３】
図１〜図３に、本発明の睫毛用塗布具の実施形態を示し説明する。
【００１４】
この例の睫毛用塗布具(１)は、円柱状のロッド(２)の先端部分を平坦に切削して平面部(３)を形成し、この平面部(３)に、断面形状がＶ字状の溝(４)を並列に多数形成した鋸歯状の構造とされている。この平面部(３)は、目の幅に対応させて、ロッド(２)の先端から１０〜３０ｍｍのところまで形成されている。この平面部(３)の範囲が溝(４)の形成幅である。ただし、これに限らず、ロッド全体を角柱状にしてその一面を平面部として使用するなどの例も、もちろん可能である。
【００１５】
溝(４)は、ロッド(２)の軸に垂直である矢示Ａで示す塗布方向に、長さＬ＝３〜７ｍｍで形成することができる。本例の場合、睫毛の平均が６ｍｍ前後であることからＬ＝３.５ｍｍとし、睫毛をしっかりとキープしてとかし上げられるようにしている。そのピッチＰと深さＤは、睫毛の保持力とマスカラの含み具合を考えると、ピッチＰ＝０.４〜１ｍｍ、深さＤ＝０.３〜２ｍｍの範囲とするのが好ましいが、図２に示すように、ピッチＰ＝０.６ｍｍとし、深さＤ＝０.７ｍｍとしたときに、睫毛ののりとマスカラの含み具合で最適な結果を得られた。すなわち、ピッチが小さく浅すぎると睫毛ののりが悪く且つマスカラの含みが少なすぎ、一方、ピッチが大きく深すぎるとマスカラが付きすぎて仕上がりがぼったりしてしまう。
【００１６】
このような睫毛用塗布具(１)は、太さ０.５〜２０Ｄ（デニール）で長さ０.３〜３.０ｍｍの繊維を含んだマスカラの塗布に使用すると、その繊維を溝(４)の中にきれいに保持し、塗布方向Ａに沿ってきちんと揃えることができる。そして、図３に示すように、睫毛に沿って塗布方向Ａに塗布具(１)を撫で上げると、溝(４)内に各睫毛が入り込んでホールドされ、一本一本分散して整列させられながらとかし上げられる。かつ、溝(４)の長さＬにより適量のマスカラが均一に塗布され、きれいな仕上がりを得られる。その際に、溝(４)内に保持されて塗布方向Ａに向きが揃えられた繊維が睫毛にムラ無く付着し、適量が均一に塗布される。
【００１７】
図４ａ〜ｃに、より使いやすいように平面部(３)を加工した睫毛用塗布具の例を示す。すなわち、図４ａの睫毛用塗布具の平面部(30)は、まぶたの曲線にあわせて、塗布具の長手方向に湾曲させてあり、ここに上記同様の溝(４)を形成している。この平面部(30)は、図示のように、まぶたを閉じたときの曲線にあわせた凹状としてもよいし、あるいは、まぶたを開けたときの曲線にあわせた凸状とすることもできる。また、図４ｂ及び図４ｃの平面部(31)(32)は、ロッド(２)の軸(2a)に対し所定の角度θ、好ましくは１０〜４５°傾けたもので、平面部(31)は軸(2a)より下へ下げたもの、平面部(32)は軸(2a)より上へ上げたものである。これら変形例は、それぞれ好みに応じて使いやすいものを選択して使用することができる。
【実施例１】
【００１８】
図５〜図９に、本発明の一変形の睫毛用塗布具の実施例を示し説明する。ただし、上記実施の形態と同様な構成についての説明は省略する。
【００１９】
この例の睫毛用塗布具(５)は、円柱状のロッド(６)の先端部分を平坦に切削して平面部(７)を形成し、この平面部(７)に、断面形状が略Ｖ字状の溝(８)を並列に多数形成した鋸歯状の構造とされている。この平面部(７)は、目の幅に対応させて、ロッド(６)の先端から１０〜３０ｍｍのところまで形成されている。この平面部(７)の範囲が溝(８)の形成幅である。ただし、これに限らず、ロッド全体を角柱状にしてその一面を平面部として使用するなどの例も、もちろん可能であることは上記実施の形態と同様である。
【００２０】
また、隣接する略Ｖ字状の溝(８)同士の間には断面形状がΛ字状の突条部(９)が形成されてる。この多数併設された突条部(９)はそれぞれ、ロッド(６)の塗布方向の長さよりも該方向に対して長目に形成され、平面部(７)から塗布方向に突出した突出部(10)を有している。この突出部(10)は、平面部(７)の付け根位置からその先端までの長さが０.３〜２.０ｍｍで形成され、該付け根位置から先端位置にかけて先細に形成されている。勿論、必ずしも突出部を先細にしなければならないというものではないが、先細にすることによって、ダマになった睫毛や化粧料或いは化粧料中の繊維に突出部を通しやすくすることができて好ましい。また、平面部(７)の両側においてそれぞれ外向きに突出して形成される突出部10の付け根から先端までの長さは、該両側においてその長さを変えてもよい。
【００２１】
本例の如くの突出部(10)を設けた睫毛用塗布具(５)においても、実施の形態の場合と同様に、図４ａ〜ｃに示すように、ロッド(６)の軸に所定の角度θを適宜選択することができることはいうまでもない。
【００２２】
以上のように構成される睫毛用塗布具５において、その溝(８)のピッチと突出部(10)のピッチを様々に変えてそれぞれ使用実験をしたところ、図１０に示す結果を得た。この結果によれば、溝(８)や突出部(10)のピッチを狭くとり過ぎると、突出部(10)間に睫毛を入り込ませることができず梳かすことが困難となり、逆に広くとり過ぎると化粧料や化粧料中の繊維が多く付き過ぎダマになったり、束になったりして捌けなくなることが示されている。したがって、溝(８)のピッチと突出部(10)のピッチはともに０.５〜１.０ｍｍとすることが好ましく、さらに好ましくは、溝(８)のピッチと突出部(10)ピッチをともに０.８ｍｍとする。
【図面の簡単な説明】
【００２３】
【図１】本発明の睫毛用塗布具の斜視図。
【図２】図１の睫毛用塗布具の要部拡大図。
【図３】図１の睫毛用塗布具の使用状態説明図。
【図４】睫毛用塗布具の平面部の変形例を例示した要部拡大図。
【図５】本発明の一変形の睫毛用塗布具の斜視図。
【図６】図５の睫毛用塗布具の要部拡大図。
【図７】同睫毛用塗布具の要部拡大平面図。
【図８】同睫毛用塗布具の要部拡大縦断面図。
【図９】同睫毛用塗布具の要部拡大横断面図。
【図１０】溝のピッチと突出部のピッチの関係を示す図。
【符号の説明】
【００２４】
(１)睫毛用塗布具
(２)ロッド
(３)平面部
(４)溝
(５)睫毛用塗布具
(６)ロッド
(７)平面部
(８)溝
(９)突条部
(10)突出部
Ａ 塗布方向
【図１】
2005192996.tif 000003
【図２】
2005192996.tif 000004
【図３】
2005192996.tif 000005
【図４】
2005192996.tif 000006
【図５】
2005192996.tif 000007
【図６】
2005192996.tif 000008
【図７】
2005192996.tif 000009
【図８】
2005192996.tif 000010
【図９】
2005192996.tif 000011
【図１０】
2005192996.tif 000012